(57)【要約】      （修正有）【課題】圧力がまに関し、特に、使用中、携行可能であり、同時に、かまふたで料理できる効果が得られる圧力がま構造を提供する。【解決手段】かま本体１０と、かまふた１１とからなり、かま本体は、外壁にロック装置１２が設置され、かまふたは、収納槽が形成され、収納槽において、複数の圧力リリーフ穴を有する少なくとも一つの圧力リリーフ弁が設置され、収納槽の周縁に、ロック装置と互いに係止する少なくとも一つのロック係合部１４が設置され、ロック装置には、ピン１２０と、ピンがロック係合部から脱離することを制御するためのスイッチ１２２と、が設置され、ロック係合部には、ピンが係止されるための固定穴１４０が形成され、かまふたが、かま本体に覆われた後、かまふたを回転してロック装置にあるピンが、固定穴に係止され、これにより、かまふたが、ピンと固定穴とが互いに係止されて固定される。【選択図】図３
0003183034.tif 000002
【実用新案登録請求の範囲】
【請求項１】
外壁にロック装置が設置されるかま本体と、
少なくとも一つの複数の圧力リリーフ穴を有する圧力リリーフ弁が設置される収納槽が形成され、周縁に、少なくとも一つの上記ロック装置と互いに係止するロック係合部が設置されるかまふたと、
が含有される、
ことを特徴とする圧力がま構造。
【請求項２】
更に、上記かまふたに設置された補助圧力リリーフ穴があることを特徴とする請求項１に記載の圧力がま構造。
【請求項３】
上記ロック装置に、ピンと、上記ピンが上記ロック係合部から脱離することを制御するためのスイッチと、が設置されることを特徴とする請求項１に記載の圧力がま構造。
【請求項４】
上記ロック係合部に、上記ピンが係止するための固定穴が形成されることを特徴とする請求項３に記載の圧力がま構造。
【請求項５】
更に、上記ロック係合部に接続される取っ手が、上記かまふたに設置されることを特徴とする請求項１に記載の圧力がま構造。
【考案の詳細な説明】
【技術分野】
【０００１】
本考案は、圧力がまに関し、特に、使用中、携行可能であり、同時に、かまふたで料理できる効果が得られる圧力がま構造に関する。
【背景技術】
【０００２】
最近、原油値段が高くなりつつ、日常民生物質の値段も高くつき、当たり前なことでありながら、生活に緊密に係る水や電力及び天然ガス…等のエネルギー物質も含まれ、そのため、上記のエネルギー物質を使用する時、エネルギーを節約することにより、その費用を節約することを考慮しなければならなく、そのため、関係業者も、省エネルギー低炭素を目標として製品を開発し、悪化してきた環境を保護するように逞しくし、その中、食べ物や米を炊く炊飯器や電子ジャーは、われわれにとって必要とする日常電器用品であり、その炊き時間が長ければ、消耗したエネルギーが多くなり、そのため、いかに、エネルギーをせつやくするため、快速的に食べ物や米を炊くことは、業者らにとって至急に追求しなければならない目標である。
【０００３】
市販の圧力がまは、上記の問題を完全に解決でき、一般の圧力がまは、基本構造として、閉鎖された鋼製容器に、過剰圧力リリーフ弁が結合されるものである。液体は、比較的に高い気圧の下で、沸騰点がたかくなる。圧力がまは、その物理現象について、水にを圧力を印加することにより、水が、より高い温度になっても沸騰しないことを利用して、食べ物を炊く効率を高くし、これにより、時間やエネルギーを節約する目的が実現される。
【０００４】
しかしながら、既存の圧力がまは、使用期間、殆ど、携行することに向いていなく、携行可能であっても、他に、ロック装置を追加することにより、携行する時、かまふたとかま本体とが分離することによる危険を防止する必要があり、また、既存の圧力がまは、使用上、かま内において、食べ物を加熱し、圧力がまが加熱する時、発生した熱エネルギーを他に利用することができない。その故、上記の問題と欠点を解消しなければならなく、同時に、使用する時、かま本体において、発生した熱エネルギーを利用することは、関係メーカの研究開発方針になる。
【０００５】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００６】
本考案の主な目的は、ロック装置を利用して、簡単にかまふたを固定や開放することができ、圧力がまが、使用期間でも、任意に携行できる圧力がま構造を提供する。
【０００７】
本考案の他の目的は、かまふたにある収納槽と、圧力がまの使用する時に発生した熱い蒸気とを利用して、食材を加熱する目的を実現できる圧力がま構造を提供する。
【０００８】
本考案の更に他の目的は、複數圧力リリーフ穴を有する圧力リリーフ弁を利用して、有効且つ快速的に圧力リリーフする効果が実現し、圧力をリリーフすることが遅いことによるリスクを回避でき、同時に、補助圧力リリーフ穴を追加設置でき、全体としての安全性が向上される圧力がま構造を提供する。
【０００９】
本考案の更に他の目的は、取っ手構造を利用して、ユーザーが、圧力がまを使用する時、より便利に携行でき、また、火傷を防止できる圧力がま構造を提供する。
【課題を解決するための手段】
【００１０】
本考案の請求項１は、外壁にロック装置が設置されるかま本体と、少なくとも一つの複数の圧力リリーフ穴を有する圧力リリーフ弁が設置される収納槽が形成され、周縁に、少なくとも一つの上記ロック装置と互いに係止するロック係合部が設置されるかまふたと、が含有される、ことを特徴とする圧力がま構造である。
【００１１】
本考案の請求項２は、更に、上記かまふたに設置された補助圧力リリーフ穴があることを特徴とする請求項１に記載の圧力がま構造である。
【００１２】
本考案の請求項３は、上記ロック装置に、ピンと、上記ピンが上記ロック係合部から脱離することを制御するためのスイッチと、が設置されることを特徴とする請求項１に記載の圧力がま構造である。
【００１３】
本考案の請求項４は、上記ロック係合部に、上記ピンが係止するための固定穴が形成されることを特徴とする請求項３に記載の圧力がま構造である。
【００１４】
本考案の請求項５は、更に、上記ロック係合部に接続される取っ手が、上記かまふたに設置されることを特徴とする請求項１に記載の圧力がま構造である。
【００１５】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１６】
図1と図２は、本考案のより良い実施例の圧力がま構造であり、上記圧力がま1は、かま本体10とかまふた11とからなり、上記かま本体10の外壁に、ロック装置12が設置され、かまふた11に、収納槽110が形成され、また、上記収納槽110に、少なくとも一つの複数の圧力リリーフ穴130を有する圧力リリーフ弁13が設置され、上記かまふた11は、周縁に、少なくとも一つの上記ロック装置12と互いに係止するロック係合部14が設置される。また、上記かまふた11に、更に、補助圧力リリーフ穴15が設置されても良い。前記ロック装置12には、ピン120と、上記ピン120が上記ロック係合部14から脱離することを制御するためのスイッチ122とが、設置されても良い。また、前記ロック係合部14に、上記ピン120が係止するための固定穴140が形成されても良い。また、更に、上記ロック係合部14に接続される取っ手16が、上記かまふた11に設置されても良い。
【００１７】
図３と図４から分かるように、ロック装置12により、かま本体10とかまふた11とが、互いに固定され、ロック装置12が、ピン120とスイッチ122とからなるため、かまふた11を固定する時、かまふた11を、上から、かま本体10に覆ってから、ロック係合部14にある固定穴140とピン120とが係止され、かまふた11は、固定穴140とピン120とが係止されることにより、圧力がま1を使用する時、内部圧力の過大によりかまふた11が脱離するリスクを防止でき、圧力がま1は、原理として、容器が閉鎖されることにより、炊く過程において、かま内の圧力が増加されて、かま内にある液体の沸騰温度がたかくなることを利用し、より短い時間で炊くことを実現でき、これにより、天然ガスのエネルギー消耗を節約する目的を達成できる。前記の構造によれば、有効に、かま本体10とかまふた11とが固定されるが、圧力がまを使用した後、ユーザーは、ロック装置12にあるスイッチ122で、ピン120を、固定穴140から引き出して、かまふた11が開かれる。前記の圧力がま1が、炊いた後、取っ手16を利用して、圧力がま1を他の所へ移動でき、これにより、ユーザーが、火傷なく、圧力がま1を携行できる。
【００１８】
図５を参照しながら、前記圧力がま1で、炊く過程において、圧力がま1が閉鎖される装置（即ち、閉鎖により圧力が増大される装置）であるため、圧力リリーフの設計は、非常に大切な課題であり、圧力がま1で炊く時、所定の圧力が得られながら、適当に圧力をリリーフして、危険を回避することは、必要であり、圧力がま1が、内部圧力が過大により爆発することを防止するため、かまふた11には、圧力リリーフ弁13が装置され、圧力リリーフ弁13は、例えば、ほぞで弁を固定し、圧力があれば、弁を押さえ、圧力がま1内の圧力が、ほぞで固定する弁の力よりも大きくなると、弁が押さえられて開いて、内部の水蒸気が排出され、圧力がま1内の圧力が、ほぞで固定する弁の力よりも小さくなると、弁が、閉められ、これにより、圧力がま1内の圧力が、所定の圧力範囲に保たれて、温度を向上する目的が実現され、そのため、圧力リリーフ弁13に、複数の圧力リリーフ穴130が形成されることにより、水蒸気の排出速度が向上され、大幅に、圧力がま1の圧力リリーフ効率が向上されて、使用安全性も向上される。
【００１９】
図６のように、圧力がま1で炊く時、同時に、かまふた11にある収納槽110内において、他の食材を(例えば、鍋料理やスープ或いはいため料理等の異なる料理仕方で)炊き、炊くことが終了された後、ユーザーが、取っ手16で、圧力がま1を、加熱炉から離れ、そのため、本構造によれば、ユーザーは、圧力がま1内の旨い食べ物を食べる前、収納槽110内の旨い食材を楽しむことができる。
【００２０】
そのため、本考案は、より進歩的かつより実用的で、法に従って実用新案登録請求を出願する。
【００２１】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２２】
【図１】本考案のより良い実施例の立体図
【図２】本考案のより良い実施例の一部拡大図
【図３】本考案のより良い実施例の使用状態図
【図４】本考案のロック装置の係止動作図
【図５】本考案の圧力リリーフ弁の構造図
【図６】本考案のかまふたの構造の使用状態図
【符号の説明】
【００２３】
１  圧力がま
１０  かま本体
１１  かまふた
１１０  収納槽
１２  ロック装置
１２０  ピン
１２２  スイッチ
１３  圧力リリーフ弁
１３０  圧力リリーフ穴
１４  ロック係合部
１４０  固定穴
１５  補助圧力リリーフ穴
１６  取っ手
【図１】
0003183034.tif 000003
【図２】
0003183034.tif 000004
【図３】
0003183034.tif 000005
【図４】
0003183034.tif 000006
【図５】
0003183034.tif 000007
【図６】
0003183034.tif 000008
【手続補正書】
【提出日】平成24年10月26日(2012.10.26)
【手続補正１】
【補正対象書類名】明細書
【補正対象項目名】全文
【補正方法】変更
【補正の内容】
【考案の詳細な説明】
【技術分野】
【０００１】
本考案は、圧力がまに関し、特に、使用中、携行可能であり、同時に、かまふたで料理できる効果が得られる圧力がま構造に関する。
【背景技術】
【０００２】
最近、原油値段が高くなりつつ、日常民生物質の値段も高くつき、当たり前なことでありながら、生活に緊密に係る水や電力及び天然ガス…等のエネルギー物質も含まれ、そのため、上記のエネルギー物質を使用する時、エネルギーを節約することにより、その費用を節約することを考慮しなければならなく、そのため、関係業者も、省エネルギー低炭素を目標として製品を開発し、悪化してきた環境を保護するように逞しくし、その中、食べ物や米を炊く炊飯器や電子ジャーは、われわれにとって必要とする日常電器用品であり、その炊き時間が長ければ、消耗したエネルギーが多くなり、そのため、いかに、エネルギーをせつやくするため、快速的に食べ物や米を炊くことは、業者らにとって至急に追求しなければならない目標である。
【０００３】
市販の圧力がまは、上記の問題を完全に解決でき、一般の圧力がまは、基本構造として、閉鎖された鋼製容器に、過剰圧力リリーフ弁が結合されるものである。液体は、比較的に高い気圧の下で、沸騰点がたかくなる。圧力がまは、その物理現象について、水にを圧力を印加することにより、水が、より高い温度になっても沸騰しないことを利用して、食べ物を炊く効率を高くし、これにより、時間やエネルギーを節約する目的が実現される。
【０００４】
しかしながら、既存の圧力がまは、使用期間、殆ど、携行することに向いていなく、携行可能であっても、他に、ロック装置を追加することにより、携行する時、かまふたとかま本体とが分離することによる危険を防止する必要があり、また、既存の圧力がまは、使用上、かま内において、食べ物を加熱し、圧力がまが加熱する時、発生した熱エネルギーを他に利用することができない。その故、上記の問題と欠点を解消しなければならなく、同時に、使用する時、かま本体において、発生した熱エネルギーを利用することは、関係メーカの研究開発方針になる。
【０００５】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００６】
本考案の主な目的は、ロック装置を利用して、簡単にかまふたを固定や開放することができ、圧力がまが、使用期間でも、任意に携行できる圧力がま構造を提供する。
【０００７】
本考案の他の目的は、かまふたにある収納槽と、圧力がまの使用する時に発生した熱い蒸気とを利用して、食材を加熱する目的を実現できる圧力がま構造を提供する。
【０００８】
本考案の更に他の目的は、複數圧力リリーフ穴を有する圧力リリーフ弁を利用して、有効且つ快速的に圧力リリーフする効果が実現し、圧力をリリーフすることが遅いことによるリスクを回避でき、同時に、補助圧力リリーフ穴を追加設置でき、全体としての安全性が向上される圧力がま構造を提供する。
【０００９】
本考案の更に他の目的は、取っ手構造を利用して、ユーザーが、圧力がまを使用する時、より便利に携行でき、また、火傷を防止できる圧力がま構造を提供する。
【課題を解決するための手段】
【００１０】
本考案の請求項１は、外壁にロック装置が設置されるかま本体と、少なくとも一つの複数の圧力リリーフ穴を有する圧力リリーフ弁が設置される収納槽が形成され、周縁に、少なくとも一つの上記ロック装置と互いに係止するロック係合部が設置されるかまふたと、が含有される、ことを特徴とする圧力がま構造である。
【００１１】
本考案の請求項２は、更に、上記かまふたに設置された補助圧力リリーフ穴があることを特徴とする請求項１に記載の圧力がま構造である。
【００１２】
本考案の請求項３は、上記ロック装置に、ピンと、上記ピンが上記ロック係合部から脱離することを制御するためのスイッチと、が設置されることを特徴とする請求項１に記載の圧力がま構造である。
【００１３】
本考案の請求項４は、上記ロック係合部に、上記ピンが係止するための固定穴が形成されることを特徴とする請求項３に記載の圧力がま構造である。
【００１４】
本考案の請求項５は、更に、上記ロック係合部に接続される取っ手が、上記かまふたに設置されることを特徴とする請求項１に記載の圧力がま構造である。
【００１５】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１６】
図1と図２は、本考案のより良い実施例の圧力がま構造であり、上記圧力がま1は、かま本体10とかまふた11とからなり、上記かま本体10の外壁に、ロック装置12が設置され、かまふた11に、収納槽110が形成され、また、上記収納槽110に、少なくとも一つの複数の圧力リリーフ穴130を有する圧力リリーフ弁13が設置され、上記かまふた11は、周縁に、少なくとも一つの上記ロック装置12と互いに係止するロック係合部14が設置される。また、上記かまふた11に、更に、補助圧力リリーフ穴15が設置されても良い。前記ロック装置12には、ピン120と、上記ピン120が上記ロック係合部14から脱離することを制御するためのスイッチ122とが、設置されても良い。また、前記ロック係合部14に、上記ピン120が係止するための固定穴140が形成されても良い。また、更に、上記ロック係合部14に接続される取っ手16が、上記かまふた11に設置されても良い。
【００１７】
図３と図４から分かるように、ロック装置12により、かま本体10とかまふた11とが、互いに固定され、ロック装置12が、ピン120とスイッチ122とからなるため、かまふた11を固定する時、かまふた11を、上から、かま本体10に覆ってから、ロック係合部14にある固定穴140とピン120とが係止され、かまふた11は、固定穴140とピン120とが係止されることにより、圧力がま1を使用する時、内部圧力の過大によりかまふた11が脱離するリスクを防止でき、圧力がま1は、原理として、容器が閉鎖されることにより、炊く過程において、かま内の圧力が増加されて、かま内にある液体の沸騰温度がたかくなることを利用し、より短い時間で炊くことを実現でき、これにより、天然ガスのエネルギー消耗を節約する目的を達成できる。前記の構造によれば、有効に、かま本体10とかまふた11とが固定されるが、圧力がまを使用した後、ユーザーは、ロック装置12にあるスイッチ122で、ピン120を、固定穴140から引き出して、かまふた11が開かれる。前記の圧力がま1が、炊いた後、取っ手16を利用して、圧力がま1を他の所へ移動でき、これにより、ユーザーが、火傷なく、圧力がま1を携行できる。
【００１８】
図５と図７及び図１０を参照しながら、前記圧力がま1で、炊く過程において、圧力がま1が閉鎖される装置（即ち、閉鎖により圧力が増大される装置）であるため、圧力リリーフの設計は、非常に大切な課題であり、圧力がま1で炊く時、所定の圧力が得られながら、適当に圧力をリリーフして、危険を回避することは、必要であり、圧力がま1が、内部圧力が過大により爆発することを防止するため、かまふた11には、圧力リリーフ弁13（図において、中央位置に装置されるが、中央位置に装置されなくでも良い）が装置され、圧力リリーフ弁13は、例えば、ほぞで弁132をロッド134で固定し、圧力があれば、弁132を押さえ、圧力がま1内の圧力が、ほぞで固定する弁132の力よりも大きくなると、弁132が押さえられて開いて、内部の水蒸気が排出され、圧力がま1内の圧力が、ほぞで固定する弁132の力よりも小さくなると、弁132が、閉められ、これにより、圧力がま1内の圧力が、所定の圧力範囲に保たれて、温度を向上する目的が実現され、そのため、圧力リリーフ弁13に、複数の圧力リリーフ穴130（ここでは、円形になるが、必要に応じて、異なる形状でも良い）が形成されることにより、水蒸気の排出速度が向上され、大幅に、圧力がま1の圧力リリーフ効率が向上されて、使用安全性も向上される。
【００１９】
図６と図８及び図９のように、圧力がま1で炊く時、まず、かまふた11を取り外して、快速的に炊きたい食材をかま本体10に入れ込んでから、かまふた11を覆い、増圧して炊き、炊く過程において、かまふた11が、内部の熱により熱くなるが、本考案に係るかまふた11に、収納槽110内があるため、一般の炊かれる食材(例えば、鍋料理やスープ或いはいため料理等の異なる料理仕方で)を、それに入れ込み、炊くことが終了された後、ユーザーが、取っ手16で、圧力がま1を、加熱炉から離れ、そのため、本構造によれば、ユーザーは、圧力がま1内の旨い食べ物を食べる前、収納槽110内の旨い食材を楽しむことができる。
【００２０】
また、図１１のように、本考案に係る補助圧力リリーフ穴15は、主として、直接に、かまふた11の縁に形成され、上記補助圧力リリーフ穴15を介して、かま本体10の空間が連されるため、かま本体10内の圧力増加が、速すぎて、圧力リリーフ弁13により、内部圧力が適当にリリーフされない場合、上記補助圧力リリーフ穴15で、圧力リリーフのスピードが増加され、全体の安全性が向上される。
【００２１】
そのため、本考案は、より進歩的かつより実用的で、法に従って実用新案登録請求を出願する。
【００２２】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２３】
【図１】本考案のより良い実施例の立体図
【図２】本考案のより良い実施例の一部拡大図
【図３】本考案のより良い実施例の使用状態図
【図４】本考案のロック装置の係止動作図
【図５】本考案の圧力リリーフ弁の構造図
【図６】本考案のかまふたの構造の使用状態図
【図７】本考案の圧力リリーフ弁の断面構造の作動状態図
【図８】本考案のかまふたの断面構造図
【図９】本考案の圧力がまの使用状態の断面図
【図１０】本考案の圧力リリーフ弁の断面構造図
【図１１】本考案の補助圧力リリーフ穴の位置断面図
【符号の説明】
【００２４】
１  圧力がま
１０  かま本体
１１  かまふた
１１０  収納槽
１２  ロック装置
１２０  ピン
１２２  スイッチ
１３  圧力リリーフ弁
１３０  圧力リリーフ穴
１３２  弁
１３４  ロッド
１４  ロック係合部
１４０  固定穴
１５  補助圧力リリーフ穴
１６  取っ手
【手続補正２】
【補正対象書類名】図面
【補正対象項目名】図７
【補正方法】追加
【補正の内容】
【図７】
0003183034.tif 000009
【手続補正３】
【補正対象書類名】図面
【補正対象項目名】図８
【補正方法】追加
【補正の内容】
【図８】
0003183034.tif 000010
【手続補正４】
【補正対象書類名】図面
【補正対象項目名】図９
【補正方法】追加
【補正の内容】
【図９】
0003183034.tif 000011
【手続補正５】
【補正対象書類名】図面
【補正対象項目名】図１０
【補正方法】追加
【補正の内容】
【図１０】
0003183034.tif 000012
【手続補正６】
【補正対象書類名】図面
【補正対象項目名】図１１
【補正方法】追加
【補正の内容】
【図１１】
0003183034.tif 000013
【手続補正書】
【提出日】平成25年2月7日(2013.2.7)
【手続補正１】
【補正対象書類名】実用新案登録請求の範囲
【補正対象項目名】全文
【補正方法】変更
【補正の内容】
【実用新案登録請求の範囲】
【請求項１】
外壁にロック装置が設置されるかま本体と、複数の圧力リリーフ穴を有する少なくとも一つの圧力リリーフ弁が設置される収納槽を備え、該収納槽の周縁に、上記ロック装置と互いに係止する少なくとも一つのロック係合部が設置されるかまふたと、が含有される、ことを特徴とする圧力がま構造。
【請求項２】
更に、上記かまふたの周縁に、前記圧力リリーフ弁を補助する補助圧力リリーフ穴を設置したことを特徴とする請求項１に記載の圧力がま構造。
【請求項３】
上記ロック装置に、ピンと、上記ピンが上記ロック係合部から脱離することを制御するためのスイッチと、が設置されることを特徴とする請求項１に記載の圧力がま構造。
【請求項４】
上記ロック係合部に、上記ピンが係止するための固定穴が形成されることを特徴とする請求項３に記載の圧力がま構造。
【請求項５】
更に、上記ロック係合部に接続される取っ手が、上記かまふたに設置されることを特徴とする請求項１に記載の圧力がま構造。
【手続補正２】
【補正対象書類名】明細書
【補正対象項目名】００１０
【補正方法】変更
【補正の内容】
【００１０】
本考案の請求項１は、外壁にロック装置が設置されるかま本体と、複数の圧力リリーフ穴を有する少なくとも一つの圧力リリーフ弁が設置される収納槽を備え、該収納槽の周縁に、上記ロック装置と互いに係止する少なくとも一つのロック係合部が設置されるかまふたとが含有されることを特徴とする圧力がま構造である。
【手続補正３】
【補正対象書類名】明細書
【補正対象項目名】００１１
【補正方法】変更
【補正の内容】
【００１１】
本考案の請求項２は、更に、上記かまふたの周縁に、前記圧力リリーフ弁を補助する補助圧力リリーフ穴を設置したことを特徴とする請求項１に記載の圧力がま構造である。。